(57)【要約】    【課題】  種々の視環境においても良好な色再現を行うことが容易で、使用までの調整時間が短くて済み、かつ、製造コストの安価なプロジェクタを提供する。    【解決手段】  入力画像情報に応じて投写面に投写画像を投写する投写光学ユニットと、所定の壁色毎に対応して準備されている複数の色変換テーブルと、基準となる投写画像が投写された前記投写面における各色のレベルを計測する色光センサと、前記色光センサによって計測された前記各色のレベルに基づいて前記投写面の壁色を決定し、前記壁色に基づいて前記複数の色変換テーブルのうちのいずれかの色変換テーブルを選択する色変換テーブル選択装置と、前記色変換テーブル選択装置により選択された色変換テーブルに基づいて前記入力画像情報の補正を行う色変換装置とを備えることを特徴とするプロジェクタ。【選択図】  図１
2006349792.tif 000002
【特許請求の範囲】
【請求項１】
入力画像情報に応じて投写面に投写画像を投写する投写光学ユニットと、
所定の壁色毎に対応して準備されている複数の色変換テーブルと、
基準となる投写画像が投写された前記投写面における各色のレベルを計測する色光センサと、
前記色光センサによって計測された前記各色のレベルに基づいて前記投写面の壁色を決定し、前記壁色に基づいて前記複数の色変換テーブルのうちのいずれかの色変換テーブルを選択する色変換テーブル選択装置と、
前記色変換テーブル選択装置により選択された色変換テーブルに基づいて前記入力画像情報の補正を行う色変換装置とを備えることを特徴とするプロジェクタ。
【請求項２】
請求項１に記載のプロジェクタにおいて、
前記各色のレベルは、各色２〜３段階に分かれていることを特徴とするプロジェクタ。
【請求項３】
請求項１又は２に記載のプロジェクタにおいて、
前記色光センサは、カラー撮像素子であることを特徴とするプロジェクタ。
【請求項４】
請求項３に記載のプロジェクタにおいて、
前記色光センサは、前記投写面のうち各領域毎に各色のレベルを計測する機能を有し、
前記色変換テーブル選択装置は、前記各領域毎に前記投写面の壁色を決定する機能を有し、
前記色変換装置は、前記各領域毎に前記入力画像情報の補正を行う機能を有することを特徴とするプロジェクタ。
【請求項５】
請求項３又は４に記載のプロジェクタにおいて、
前記カラー撮像素子による撮影結果に基づいて台形歪みを補正する機能を有することを特徴とするプロジェクタ。
【請求項６】
請求項１又は２に記載のプロジェクタにおいて、
前記色光センサがフォトセンサ及びカラーフィルタからなることを特徴とするプロジェクタ。
【請求項７】
所定の壁色毎に対応した複数の色変換テーブルを準備する色変換テーブル準備ステップと、
基準となる投写画像が投写された投写面における各色のレベルを計測し、計測された前記各色のレベルに基づいて前記投写面の壁色を決定して前記複数の色変換テーブルのうちのいずれかの色変換テーブルを選択する色変換テーブル選択ステップと、
前記色変換テーブル選択ステップで決定された前記色変換テーブルに基づいて前記入力画像情報の補正を行う入力画像情報補正ステップとを含むことを特徴とするプロジェクタにおける画像処理方法。
【請求項８】
所定の壁色毎に対応した複数の色変換テーブルを有するプロジェクタに、
基準となる投写画像が投写された投写面における各色のレベルを計測し、計測された前記各色のレベルに基づいて前記投写面の壁色を決定して前記複数の色変換テーブルのうちのいずれかの色変換テーブルを選択する色変換テーブル選択ステップと、
前記色変換テーブル選択ステップで決定された前記色変換テーブルに基づいて前記入力画像情報の補正を行う入力画像情報補正ステップとを実行させる手順を有することを特徴とするプロジェクタにおける画像処理プログラム。
【発明の詳細な説明】
【技術分野】
【０００１】
本発明は、プロジェクタ、プロジェクタにおける画像処理方法及びプロジェクタにおける画像処理プログラムに関する。
【背景技術】
【０００２】
プロジェクタを用いてカラー表示を行う場合、種々の視環境（例えば、投写面の壁などに色が付いているような視環境、投写面のスクリーンに明るい光が照射されているような視環境など。）においても良好な色再現が可能なプロジェクタが提案されている（例えば、非特許文献１及び特許文献１参照。）。
【０００３】
このうち、非特許文献１に記載されたプロジェクタにおいては、壁色補正選択メニューから手動で適切な壁色を選択することにより、壁色（上記の視環境に対応。）に応じて予め定められた７種類の色変換のうちいずれかの色変換を行うこととしている。このため、非特許文献１に記載されたプロジェクタによれば、壁色（視環境）に応じて適切な色変換が行われるため、種々の視環境においても良好な色再現が可能となる。
【０００４】
また、特許文献１に記載されたプロジェクタにおいては、実際の視環境のもとで、基準となる投写画像をスクリーンに投写し、この投写画像の色合いを色光センサを用いて計測して得られる色光情報から、実際の視環境のもとでのＲＧＢ入出力特性プロファイルを作成することとしている。このため、特許文献１に記載されたプロジェクタによれば、実際の視環境のもとでのＲＧＢ入出力特性プロファイルに基づいて入力画像データの色変換を行うことができるため、種々の視環境においても良好な色再現が可能となる。
【非特許文献１】ＮＥＣビューテクノロジー株式会社のプロジェクタ総合カタログ２００５年５月作成版（壁色補正機能の説明欄）
【特許文献１】特開２００１−３２０７２５号公報
【発明の開示】
【発明が解決しようとする課題】
【０００５】
しかしながら、非特許文献１に記載されたプロジェクタにおいては、プロジェクタを異なる視環境に置くたびに、壁色補正選択メニューからユーザーが手動で壁色を都度選択する必要があるため、作業が煩雑になるとともに、調整作業にユーザの恣意が介在するために良好な色再現を行うことが必ずしも容易ではないという問題があった。
【０００６】
また、特許文献１に記載に記載されたプロジェクタにおいては、基準となる投写画像の色合いを所定の階調単位毎に計測することにより得られた膨大な色光情報からＲＧＢ入出力特性プロファイルを作成する際に複雑なマトリクス演算を必要とするため、ＲＧＢ入出力特性プロファイルを作成するのに時間がかかってしまい、プロジェクタを使用するまでの調整時間が長くなるという問題があった。また、膨大な色光情報からＲＧＢ入出力特性プロファイルを作成する際に複雑なマトリクス演算を必要とするため、高価なＣＰＵ資源を必要とするようになり、製造コストが高くなるという問題があった。
【０００７】
そこで、本発明は、このような問題を解決するためになされたもので、種々の視環境においても良好な色再現を行うことが容易で、使用までの調整時間が短くて済み、かつ、製造コストの安価なプロジェクタを提供することを目的とする。また、本発明は、このようなプロジェクタを用いて良好な色再現を行うための画像処理方法及び画像処理プログラムを提供することを目的とする。
【課題を解決するための手段】
【０００８】
（１）本発明のプロジェクタは、入力画像情報に応じて投写面に投写画像を投写する投写光学ユニットと、所定の壁色毎に対応して準備されている複数の色変換テーブルと、基準となる投写画像が投写された前記投写面における各色のレベルを計測する色光センサと、前記色光センサによって計測された前記各色のレベルに基づいて前記投写面の壁色を決定し、前記壁色に基づいて前記複数の色変換テーブルのうちのいずれかの色変換テーブルを選択する色変換テーブル選択装置と、前記色変換テーブル選択装置により選択された色変換テーブルに基づいて前記入力画像情報の補正を行う色変換装置とを備えることを特徴とする。
【０００９】
このため、本発明のプロジェクタによれば、基準となる投写画像を色光センサを用いて計測して得られる色光情報に基づいて自動で入力画像情報の補正を行うことでユーザの恣意を排除することが可能になるため、種々の視環境においても良好な色再現を行うことが容易となる。
【００１０】
また、本発明のプロジェクタによれば、基準となる投写画像を色光センサを用いて計測して得られる色光情報に基づいて、予め準備されている複数の色変換テーブルのうちのいずれかの色変換テーブルを選択し、この色変換テーブルに基づいて入力画像情報の補正を行うことが可能になる。このため、膨大な色光情報からＲＧＢ入出力特性プロファイルを作成する手順が必要でなくなるため、使用までの調整時間が短くて済み、かつ、製造コストを安価にすることが可能になる。
【００１１】
なお、本発明において、「壁色」とは、投写面自身が色みを有するために投写画像が色づいて見えるような場合における投写面自身の色に加えて、環境光によって投写画像が色づいて見えるような場合における環境光をも含めた形での投写面の色をも意味するものであり、本来の壁色よりも広い意味で用いている。
【００１２】
（２）本発明のプロジェクタにおいては、前記各色のレベルは、各色２〜３段階に分かれていることが好ましい。
【００１３】
ところで、特許文献１に記載されたプロジェクタにおいては、基準となる投写画像の色合いを所定の階調単位（例えば、２５６階調。）毎に計測する必要があるため、色光情報を得る作業に時間がかかってしまうという問題もある。これに対して、本発明のように構成することにより、基準となる投写画像が投写された投写面における各色のレベルを例えば１回計測するだけで、投写面の壁色を決定して最適な色変換テーブルを選択することが可能になるため、色光情報を得る作業を極めて短時間にすることができる。
【００１４】
また、本発明のように構成することにより、色光センサとして、ノイズの比較的大きな安価な色光センサを用いることが可能となり、製造コストを安価なものにすることが可能になる。
【００１５】
この場合、各色のレベルを各色３段階にした場合には、２７の色変換テーブルが必要となるが、後述するように、これを２４又は１８の色変換テーブルしか必要としないようにすることもできる。一方、各色のレベルを各色２段階にした場合には、８の色変換テーブルが必要となるが、後述するように、これを６の色変換テーブルしか必要としないようにすることができる。
【００１６】
（３）本発明のプロジェクタにおいては、前記色光センサは、カラー撮像素子であることが好ましい。
【００１７】
カラー撮像素子は近年では一般に安価に入手可能であるため、本発明のように構成することにより、製造コストを安価なものにすることができる。
カラー撮像素子としては、ＣＣＤやＣＭＯＳを好ましく用いることができる。この場合、コンテンツとしてのビデオ映像を撮影するためのＣＣＤやＣＭＯＳのように高解像度、高階調、低ノイズのものは必ずしも必要ではない。
【００１８】
（４）本発明のプロジェクタにおいては、前記色光センサは、前記投写面のうち各領域毎に各色のレベルを計測する機能を有し、前記色変換テーブル選択装置は、前記各領域毎に前記投写面の壁色を決定する機能を有し、前記色変換装置は、前記各領域毎に前記入力画像情報の補正を行う機能を有することが好ましい。
【００１９】
このように構成することにより、各領域毎に最適な色補正を行うことが可能になるため、投写面内で壁色が変化しているような投写面に投写画像を投写するような場合であっても、それに応じて領域毎に最適な色補正を行うことで、良好な色再現を行うことが可能になる。
【００２０】
（５）本発明のプロジェクタにおいては、前記カラー撮像素子による撮影結果に基づいて台形歪みを補正する機能を有することが好ましい。
【００２１】
近年のプロジェクタの多くは台形歪みを補正するために投写面に投写された投写画像を撮影するための撮像素子を備えている。このため、本発明のように構成することにより、台形歪みを補正するための撮像素子と良好な色再現を行うためのカラー撮像素子とを１のカラー撮像素子で兼用することが可能になり、製造コストを安価なものにすることができる。
【００２２】
（６）本発明のプロジェクタにおいては、前記色光センサがフォトセンサ及びカラーフィルタからなることが好ましい。
【００２３】
上記したように、色光センサとして、カラー撮像素子を用いることもできるが、本発明のように、フォトセンサ及びカラーフィルタからなる色光センサを用いることもできる。
【００２４】
（７）本発明のプロジェクタにおける画像処理方法は、所定の壁色毎に対応した複数の色変換テーブルを準備する色変換テーブル準備ステップと、基準となる投写画像が投写された投写面における各色のレベルを計測し、計測された前記各色のレベルに基づいて前記投写面の壁色を決定して前記複数の色変換テーブルのうちのいずれかの色変換テーブルを選択する色変換テーブル選択ステップと、前記色変換テーブル選択ステップで決定された前記色変換テーブルに基づいて前記入力画像情報の補正を行う入力画像情報補正ステップとを含むことを特徴とする。
【００２５】
このため、本発明のプロジェクタにおける画像処理方法によれば、本発明のプロジェクタを用いて良好な色再現を行うことが可能となる。
【００２６】
（８）本発明のプロジェクタにおける画像処理プログラムは、所定の壁色毎に対応した複数の色変換テーブルを有するプロジェクタに、基準となる投写画像が投写された投写面における各色のレベルを計測し、計測された前記各色のレベルに基づいて前記投写面の壁色を決定して前記複数の色変換テーブルのうちのいずれかの色変換テーブルを選択する色変換テーブル選択ステップと、前記色変換テーブル選択ステップで決定された前記色変換テーブルに基づいて前記入力画像情報の補正を行う入力画像情報補正ステップとを実行させる手順を有することを特徴とする。
【００２７】
このため、本発明のプロジェクタにおける画像処理プロジェクタによれば、所定の壁色毎に対応した複数の色変換テーブルを有するプロジェクタを用いて良好な色再現を行うことが可能となる。
【発明を実施するための最良の形態】
【００２８】
以下、本発明のプロジェクタ、プロジェクタにおける画像処理方法及びプロジェクタにおける画像処理プログラムについて、図に示す実施の形態に基づいて説明する。
【００２９】
〔実施形態１〕
図１は、実施形態１に係るプロジェクタ１０の機能ブロック図である。
実施形態１に係るプロジェクタ１０は、図１に示すように、入力画像情報に応じて投写面に投写画像を投写する投写光学ユニット１００と、所定の壁色毎に対応して準備されている複数の色変換テーブルを格納する色変換テーブル格納部２０と、基準となる投写画像が投写された投写面における各色のレベルを計測する色光センサ３０と、色光センサ３０によって計測された各色のレベルに基づいて投写面の壁色を決定し、壁色に基づいて前記複数の色変換テーブルのうちのいずれかの色変換テーブルを選択する色変換テーブル選択装置４０と、色変換テーブル選択装置４０により選択された色変換テーブルに基づいて入力画像情報の補正を行う色変換装置５０とを備えている。
【００３０】
投写光学ユニット１００は、光源ランプを含む照明装置１１０と、照明装置１１０から射出される照明光束を色分離して被照明領域に導光する色分離導光光学系１２０と、色分離導光光学系１２０で分離された３つの色光のそれぞれを画像情報に応じて変調する電気光学変調装置としての３つの液晶光変調装置１３０Ｒ，１３０Ｇ，１３０Ｂと、各液晶光変調装置１３０Ｒ，１３０Ｇ，１３０Ｂによって変調された色光を合成するクロスダイクロイックプリズム１４０と、クロスダイクロイックプリズム１４０によって合成された光をスクリーンＳＣＲ等の投写面に投写する投写レンズ１５０とを有している。
【００３１】
実施形態１に係るプロジェクタ１０は、入力されたアナログ画像情報をデジタル画像情報に変換するＡ／Ｄ変換装置６０と、上記した色変換装置５０を含みデジタル画像情報（Ａ／Ｄ変換装置６０からのデジタル画像情報又はもともとデジタル情報として入力されたデジタル画像情報）に対して各種画像処理（解像度変換、台形歪み補正、γ補正、色変換など）を行う画像処理装置７０と、画像処理装置７０から出力されたデジタル画像情報をアナログ画像情報に変換するＤ／Ａ変換装置８０と、アナログ画像情報を受け各液晶光変調装置１３０Ｒ，１３０Ｇ，１３０Ｂを駆動する液晶駆動装置９０と、これらの制御を行う制御部（図示せず。）とを備えている。
【００３２】
色光センサ３０としては、ＣＣＤからなるカラー撮像素子を用いている。そして、実施形態１に係るプロジェクタ１０においては、カラー撮像素子による撮影結果（色光情報又は投写画像形状やスクリーン形状などの台形歪み情報）に基づいて、色補正を行うとともに台形歪みについての補正を行う。
【００３３】
実施形態１に係るプロジェクタ１０を用いて画像処理を行うには、まず、プロジェクタ１０において、所定の壁色毎に対応した複数の色変換テーブルを準備して色変換テーブル格納部２０に格納しておく（色変換テーブル準備ステップ）。
【００３４】
そして、実際にプロジェクタ１０の使用を始めるときの前処理として、準備しておいた複数の色変換テーブルのうちのいずれかの色変換テーブルを壁色に応じて選択し（色変換テーブル選択ステップ）、実際にプロジェクタ１０を使用するときには、色変換テーブル選択ステップで決定された色変換テーブルに基づいて入力画像情報の補正を行い（入力画像情報補正ステップ）、補正の行われた画像情報に係る投写画像を投写する。
【００３５】
図２は、色変換テーブル選択ステップを説明するために示すフローチャートである。図３は、実施形態１に係るプロジェクタ１０を用いて色変換テーブル選択ステップを実行している様子を示す図である。
【００３６】
色変換選択ステップは、図２に示すように、プロジェクタ１０によって基準となる投写画像を投写し（基準投写画像の投写ステップＳ２）、基準となる投写画像が投写された投写面における各色のレベルを色光センサ３０によって計測し（各色レベルの計測ステップＳ４）、色光センサ３０によって計測された各色のレベルに基づいて投写面の壁色を決定して、決定された壁色に基づいて複数の色変換テーブルのうちのいずれかの色変換テーブルを選択する（壁色決定及び色変換テーブル選択ステップＳ６）。
【００３７】
各色レベルの計測ステップＳ４においては、図３に示すように、投写面Ｓのほぼ中央部分における各色のレベルを色光センサ３０によって計測することとしている。
【００３８】
図４は、実施形態１に係るプロジェクタ１０における各色のレベルを説明するために示す図である。図４（ａ）は赤色のレベルを説明するために示す図であり、図４（ｂ）は緑色のレベルを説明するために示す図であり、図４（ｃ）は青色のレベルを説明するために示す図である。図５は、実施形態１に係るプロジェクタ１０における壁色・色変換テーブル対応表を示す図である。図６は、実施形態１に係るプロジェクタ１０における色変換テーブルの一例を示す図である。
【００３９】
実施形態１に係るプロジェクタ１０においては、図４に示すように、各色のレベルは、各色３段階に分かれている。すなわち、図４（ａ）に示すように、計測される赤色光の強度がしきい値ＴＲ１未満である場合には、赤色のレベルを１とし、計測される赤色光の強度がしきい値ＴＲ１以上でありしきい値ＴＲ２未満である場合には、赤色のレベルを２とし、計測される赤色光の強度がしきい値ＴＲ２以上である場合には、赤色のレベルを３とする。同様に、図４（ｂ）に示すように、計測される緑色光の強度がしきい値ＴＧ１未満である場合には、緑色のレベルを１とし、計測される緑色光の強度がしきい値ＴＧ１以上でありしきい値ＴＧ２未満である場合には、緑色のレベルを２とし、計測される緑色光の強度がしきい値ＴＧ２以上である場合には、緑色のレベルを３とする。同様に、図４（ｃ）に示すように、計測される青色光の強度がしきい値ＴＢ１未満である場合には、青色のレベルを１とし、計測される青色光の強度がしきい値ＴＢ１以上でありしきい値ＴＢ２未満である場合には、青色のレベルを２とし、計測される青色光の強度がしきい値ＴＢ２以上である場合には、青色のレベルを３とする。
【００４０】
実施形態１に係るプロジェクタ１０においては、色変換テーブル選択装置４０は、図５に示すような壁色・色変換テーブル対応表を参照して、色光センサ３０で計測された各色のレベルから壁色を決定するととともに、この壁色から対応する色変換テーブルを選択する。例えば、スクリーンＳＣＲが赤色がかった白であって、各色のレベルが、［赤，緑，青］＝［３，２，２］とされる場合には、色変換テーブル選択装置４０は、図５に示すように、壁色番号を２３番と決定し、色変換テーブル番号を２１番と決定する。
【００４１】
そして、色変換装置５０は、色変換テーブル選択装置４０によって選択された２１番の色変換テーブル（図６参照。）に基づいて入力画像情報の補正を行い、プロジェクタ１０は、補正の行われた画像情報に係る投写画像を投写する。この場合、色変換装置５０は、図６に示すように、赤色に関しては、入力画像情報に係る階調値を小さくなるように変換して出力する一方、緑色及び青色に関しては、入力画像情報に係る階調値をそのままの形で変換して出力する。このため、スクリーンＳＣＲが赤色がかった白であったとしても、プロジェクタ１０から投写される投写画像は赤色の成分が弱められた形で投写されるため、良好な色再現を行うことが可能になる。
【００４２】
このため、実施形態１に係るプロジェクタ１０によれば、基準となる投写画像を色光センサ３０を用いて計測して得られる色光情報に基づいて自動で入力画像情報の補正を行うことでユーザの恣意を排除することが可能になるため、種々の視環境においても良好な色再現を行うことが容易となる。
【００４３】
また、実施形態１に係るプロジェクタ１０によれば、基準となる投写画像を色光センサ３０を用いて計測して得られる色光情報から、予め準備されている色変換テーブルを選択し、この色変換テーブルに基づいて入力画像情報の補正を行うことが可能になる。このため、膨大な色光情報からＲＧＢ入出力特性プロファイルを作成する手順が必要でなくなるため、使用までの調整時間が短くて済み、かつ、製造コストの安価にすることが可能になる。
【００４４】
また、実施形態１に係るプロジェクタ１０においては、各色のレベルは各色３段階という極めて少ない段階に分かれているため、基準となる投写画像が投写された投写面における各色のレベルを例えば１回計測するだけで、投写面の壁色を決定して最適な色変換テーブルを選択することが可能になり、色光情報を得る作業を極めて短時間にすることができる。また、色光センサ３０として、ノイズの比較的大きな安価な色光センサを用いることが可能となり、製造コストを安価なものにすることが可能になる。
【００４５】
また、実施形態１に係るプロジェクタ１０においては、色光センサとして、一般に流通しているカラー撮像素子を用いているが、この場合、撮影用のＣＣＤやＣＭＯＳのように高解像度、高階調、低ノイズのものは必ずしも必要ではないため、製造コストを安価なものにすることができる。
【００４６】
また、実施形態１に係るプロジェクタ１０においては、上記したカラー撮像素子による撮影結果に基づいて台形歪みを補正する機能を有している。このため、台形歪みを補正するための撮像素子と良好な色再現を行うためのカラー撮像素子とを１のカラー撮像素子で兼用することが可能になり、製造コストを安価なものにすることができる。
【００４７】
なお、実施形態１に係るプロジェクタ１０においては、図５に示すように、各色のレベルが、［赤，緑，青］＝［３，３，３］、［赤，緑，青］＝［２，２，２］又は［赤，緑，青］＝［１，１，１］のように同じ場合には、スクリーンＳＣＲに色づきは無いとみなして色変換を行わないようにしている。すなわち、色変換テーブルを使用しないこととしている。
【００４８】
〔変形例１〕
実施形態１に係るプロジェクタ１０においては、図５に示すように２４の色変換テーブルを準備することとしたが、これをさらに少ない数にすることもできる。図７は、実施形態１の変形例１に係るプロジェクタ１０Ａにおける壁色・色変換テーブル対応表を示す図である。
【００４９】
実施形態１の変形例１に係るプロジェクタ１０Ａ（図示せず。）においては、例えば、壁色番号１５番で用いる色変換テーブルは、壁色番号２番で用いる色変換テーブル番号１番の色変換テーブルを援用して用いることにより、色変換テーブル格納部２０に格納する色変換テーブルの数をさらに少ない数（具体的には１８。）にしている。これは、壁色番号１５番の［赤，緑，青］＝［２，２，３］と、壁色番号２番の［赤，緑，青］＝［１，１，２］とでは、明るさは違うものの、スクリーンＳＣＲの色あいとしては同じと考えられることによる。
【００５０】
このため、実施形態１の変形例１に係るプロジェクタ１０Ａによれば、実施形態１に係るプロジェクタ１０と比較してより少ないメモリ資源しか必要としなくなるという効果が得られる。
【００５１】
その他、実施形態１の変形例１に係るプロジェクタ１０Ａは、実施形態１に係るプロジェクタ１０が有する効果をそのまま有する。
【００５２】
〔変形例２〕
実施形態１の変形例１に係るプロジェクタ１０Ａにおいては、図７に示すように１８の色変換テーブルを準備することとしたが、これをさらに少ない数にすることもできる。
図８は、実施形態１の変形例２に係るプロジェクタ１０Ｂにおける壁色・色変換テーブル対応表を示す図である。
【００５３】
実施形態１の変形例２に係るプロジェクタ１０Ｂ（図示せず。）においては、各色のレベルを各色２段階にしている。このため、色変換テーブル格納部２０に格納する色変換テーブルを６にまで減らすことが可能になる。その結果、実施形態１の変形例２に係るプロジェクタ１０Ｂによれば、実施形態１に係るプロジェクタ１０や実施形態１の変形例１に係るプロジェクタ１０Ａと比較してさらに少ないメモリ資源しか必要としなくなるという効果が得られる。
【００５４】
その他、実施形態１の変形例２に係るプロジェクタ１０Ｂは、実施形態１の変形例１に係るプロジェクタ１０Ａが有する効果をそのまま有する。
【００５５】
〔変形例３〕
図９は、実施形態１の変形例３に係るプロジェクタ１０Ｃにおける色変換テーブルの一例を示す図である。
実施形態１の変形例３に係るプロジェクタ１０Ｃ（図示せず。）は、基本的には実施形態１に係るプロジェクタ１０と同じ構成を有しているが、色変換テーブルの機能が実施形態１に係るプロジェクタ１０の場合と異なっている。すなわち、実施形態１の変形例３に係るプロジェクタ１０Ｃにおいては、図９に示すように、色変換テーブルは２５６階調の入力画像情報を１０２４階調の画像情報に変換して出力する機能を有している。
【００５６】
このように、実施形態１の変形例３に係るプロジェクタ１０Ｃは、色変換テーブルの機能が実施形態１に係るプロジェクタ１０の場合とは異なるが、このような場合であっても、実施形態１に係るプロジェクタ１０が有する効果をそのまま有する。
【００５７】
〔実施形態２〕
図１０は、実施形態２に係るプロジェクタ１０Ｄの使用状態の一例を示す図である。
実施形態２に係るプロジェクタ１０Ｄは、基本的には実施形態１に係るプロジェクタ１０と同じ構成を有しているが、色光センサの機能、色変換テーブル選択装置の機能及び色変換テーブルの機能が実施形態１に係るプロジェクタ１０の場合と異なっている。すなわち、実施形態２に係るプロジェクタ１０Ｄは、図１０に示すように、色光センサ３０Ｄは、投写面のうち各領域（Ｓ１１〜Ｓ８８の合計６４領域。）毎に各色のレベルを計測する機能を有し、色変換テーブル選択装置は、各領域毎に投写面の壁色を決定する機能を有し、色変換装置は各領域毎に入力画像情報の補正を行う機能を有している。
【００５８】
このため、実施形態２に係るプロジェクタ１０Ｄによれば、各領域毎に最適な色補正を行うことが可能になるため、投写面内で壁色が変化しているような投写面に投写画像を投写するような場合であっても、それに応じて領域毎に適切な色補正を行うことで、良好な色再現を行うことが可能になる。この場合、各領域の数としては、６４に限られるものではなく、カラー撮像装置の画素数に対応する数まで増やすことが可能であり、その場合、さらに適切な色補正を行うことが可能になる。
【００５９】
その他、実施形態２に係るプロジェクタ１０Ｄは、実施形態１に係るプロジェクタ１０が有する効果をそのまま有する。
【００６０】
〔実施形態３〕
実施形態３に係るプロジェクタ１０Ｅ（図示せず。）は、基本的には実施形態１に係るプロジェクタ１０と同じ構成を有しているが、色変換テーブルの構成及び色変換装置の機能が実施形態１に係るプロジェクタ１０の場合と異なっている。すなわち、実施形態３に係るプロジェクタ１０Ｅは、色変換テーブル格納部には、ガンマ補正を考慮した形の色変換テーブルが格納されている。そして、色変換装置は、壁色に応じて入力画像情報の補正を行う際に、ガンマ補正を考慮した形の色変換テーブルに基づいて補正を行うようにしている。
【００６１】
このため、実施形態３に係るプロジェクタ１０Ｅによれば、壁色に応じて入力画像情報の補正を行う際に、ガンマ補正を考慮した形の色変換テーブルに基づいて補正を行うようにしているため、壁色に応じた補正とガンマ補正とを同時に行うことが可能になり、画像処理装置の構成を簡略化することが可能になる。
【００６２】
その他、実施形態３に係るプロジェクタ１０Ｅは、実施形態１に係るプロジェクタ１０が有する効果をそのまま有する。。
【００６３】
以上、本発明のプロジェクタ、プロジェクタにおける画像処理方法及びプロジェクタにおける画像処理プログラムを上記の各実施形態に基づいて説明したが、本発明は上記の各実施形態に限定されるものではなく、その要旨を逸脱しない範囲において種々の態様において実施することが可能であり、例えば次のような変形も可能である。 
【００６４】
（１）上記各実施形態においては、図５に示すように２４の色変換テーブルを準備することとしたり、図７に示すように１８の色変換テーブルを準備することとしたりしているが、これをさらに少ない数にすることもできる。例えば、壁色番号２０番（［赤，緑，青］＝［３，１，２］）については、壁色番号１９番（［赤，緑，青］＝［３，１，１］）の色変換テーブル及び壁色番号２１番（［赤，緑，青］＝［３，１，３］）の色変換テーブルを用いて補間して色変換することで、壁色番号２０番（［赤，緑，青］＝［３，１，２］）の色変換テーブルを準備しないこととすることができる。
【００６５】
（２）上記各実施形態においては、所定の壁色毎に対応して準備されている色変換テーブルに従って入力画像情報の補正を行っているが、本発明はこれに限定されるものではなく、所定の壁色毎に複数の色変換関係式を準備しておき、これらの色変換関係式に従って入力画像情報の補正を行うこともできる。
【００６６】
（３）上記各実施形態においては、フロント型のプロジェクタを例にとって本発明を説明したが、本発明はこれに限定されるものではなく、リア型のプロジェタに本発明を適用することもできる。
【００６７】
（４）上記各実施形態においては、電気光学変調装置として液晶光変調装置を用いているが、本発明はこれに限定されるものではない。電気光学変調装置としては、一般に、画像情報に応じて入射光を変調するものであればよく、マイクロミラー型光変調装置を用いることもできる。
【００６８】
（５）上記各実施形態においては、色光センサとしてカラー撮像素子を用いているが、本発明はこれに限定されるものではない。色光センサとして、フォトセンサ及びカラーフィルタからな色光センサを用いることもできる。
【００６９】
（６）上記各実施形態においては、プロジェクタにおける画像処理方法を説明したが、所定の壁色毎に対応した複数の色変換テーブルを有するプロジェクタに、基準となる投写画像が投写された投写面における各色のレベルを計測し、計測された各色のレベルに基づいて前記投写面の壁色を決定して前記複数の色変換テーブルのうちのいずれかの色変換テーブルを選択する色変換テーブル選択ステップと、前記色変換テーブル選択ステップで決定された前記色変換テーブルに基づいて前記入力画像情報の補正を行う入力画像情報補正ステップとを実行させる手順を有するプロジェクタにおける画像処理プログラムも本発明に含まれる。
【図面の簡単な説明】
【００７０】
【図１】実施形態１に係るプロジェクタ１０の機能ブロック図。
【図２】色変換テーブル選択ステップを説明するために示すフローチャート。
【図３】実施形態１に係るプロジェクタ１０を用いて色変換テーブル選択ステップを実行している様子を示す図。
【図４】実施形態１に係るプロジェクタ１０Ａにおける各色のレベルを説明するために示す図。
【図５】実施形態１に係るプロジェクタ１０における壁色・色変換テーブル対応表を示す図。
【図６】実施形態１に係るプロジェクタ１０における色変換テーブルの一例を示す図。
【図７】実施形態１の変形例１に係るプロジェクタ１０Ａにおける壁色・色変換テーブル対応表を示す図。
【図８】実施形態１の変形例２に係るプロジェクタ１０Ｂにおける壁色・色変換テーブル対応表を示す図。
【図９】実施形態１の変形例３に係るプロジェクタ１０Ｃにおける色変換テーブルの一例を示す図。
【図１０】実施形態２に係るプロジェクタ１０Ｄを用いて色変換テーブル選択ステップを実行している様子を示す図。
【符号の説明】
【００７１】
１０，１０Ａ，１０Ｂ，１０Ｃ，１０Ｄ，１０Ｅ…プロジェクタ、２０…色変換テーブル格納部、３０…色光センサ、４０…色変換テーブル選択装置、５０…色変換装置、６０…Ａ／Ｄ変換装置、７０…画像処理装置、８０…Ｄ／Ａ変換装置、１００…投写光学ユニット、１１０…照明装置、１２０…色分離導光光学系、１３０Ｒ，１３０Ｇ，１３０Ｂ…液晶光変調装置、１４０…クロスダイクロイックプリズム、１５０…投写レンズ、Ｌ…環境光、Ｓ…投写領域、Ｓ１１〜Ｓ８８…各領域、ＳＣＲ…スクリーン
【図１】
2006349792.tif 000003
【図２】
2006349792.tif 000004
【図３】
2006349792.tif 000005
【図４】
2006349792.tif 000006
【図５】
2006349792.tif 000007
【図６】
2006349792.tif 000008
【図７】
2006349792.tif 000009
【図８】
2006349792.tif 000010
【図９】
2006349792.tif 000011
【図１０】
2006349792.tif 000012